(57)【特許請求の範囲】
【請求項１】
揮発性を有する着色された薬剤を収容して揮発した成分を放散するように構成された薬剤収容具において、
上下方向に連続した開放部分を有する容器と、
上記容器の開放部分を覆うように設けられ、揮発した薬剤を通し、かつ、揮発していない薬剤を通さないように構成された揮発薬剤透過フィルムとを備え、
上記容器と上記揮発薬剤透過フィルムとの少なくとも一方は透光性を有しており、
上記容器は、板状に形成されるとともに、該容器外方へ膨出して上下方向に延びる薬剤収容部を有し、該薬剤収容部が上下方向に連続した開放部分を有しており、
上記薬剤収容部の膨出量は、下側へ行くほど小さく設定され、
上記薬剤との接触によって膨潤しかつ当該薬剤の重量によって外側に膨らむように変形した状態における上記揮発薬剤透過フィルムの内面と、上記容器の上記薬剤収容部の内面と、の離間寸法が上側部分と下側部分とで略同じに設定されていることを特徴とする薬剤収容具。
【請求項２】
請求項１に記載の薬剤収容具において、
上記容器及び上記揮発薬剤透過フィルムの両方が透光性を有していることを特徴とする薬剤収容具。
【発明の詳細な説明】
【技術分野】
【０００１】
本発明は、例えば害虫の忌避剤等のような揮発する薬剤を収容する薬剤収容具に関するものである。
【背景技術】
【０００２】
従来から、例えば特許文献１に開示されているように、揮発性を有する薬剤を収容する薬剤収容具が知られている。この薬剤収容具は、揮発した薬剤を通し、かつ、揮発していない薬剤を通さないように構成された揮発薬剤透過フィルムを有している。内部に収容された薬剤のうち、揮発した成分がフィルムを透過して放散され、薬剤による効果が得られるようになっている。
【先行技術文献】
【特許文献】
【０００３】
【特許文献１】特表２００９−５３２１７４号公報
【発明の概要】
【発明が解決しようとする課題】
【０００４】
ところで、薬剤収容具は屋内で使用されることがあり、その場合、特にインテリアの一部として利用されるケースもある。インテリアの一部とする場合には、デザインが重要視される。そこで、薬剤を着色し、その薬剤が外部から見えるようにすることによって薬剤の色もデザインの一部として利用することが考えられる。こうすることで、薬剤の残量を把握しやすくなるという利点もある。
【０００５】
しかしながら、薬剤収容具に収容した薬剤が溶剤や精油等のオイルベースの液体である場合には、そのオイルの影響によってフィルムが膨潤して伸びてしまう。
【０００６】
この膨潤による伸びのため、薬剤収容具を立てた状態で置いておくと、薬剤の重量によってフィルムの下側部分に上側部分よりも大きな力が加わって下側部分が上側部分に比べて薬剤収容具の外側へ向けて膨らむように変形する恐れがある。こうなると、フィルムの下側部分が膨らんだ分、薬剤収容具の下側部分の厚みが増すことになり、外部から見たとき、下側部分に収容されている薬剤の色が上側部分に比べて濃く見え、見栄えが悪い。
【０００７】
本発明は、かかる点に鑑みてなされたものであり、その目的とするところは、着色された薬剤を外部から見えるように収容して揮発薬剤透過フィルムによって揮発成分を放散するようにする場合に、薬剤の色が上側から下側に亘って同じような濃さに見えるようにして見栄えを良好にすることにある。
【課題を解決するための手段】
【０００８】
上記目的を達成するために、本発明では、薬剤収容具の上側部分と下側部分とで容器の内面と揮発薬剤透過フィルムの内面との離間寸法が略同じになるようにした。
【０００９】
第１の発明では、
揮発性を有する着色された薬剤を収容して揮発した成分を放散するように構成された薬剤収容具において、
上下方向に連続した開放部分を有する容器と、
上記容器の開放部分を覆うように設けられ、揮発した薬剤を通し、かつ、揮発していない薬剤を通さないように構成された揮発薬剤透過フィルムとを備え、
上記容器と上記揮発薬剤透過フィルムとの少なくとも一方は透光性を有しており、
上記容器は、板状に形成されるとともに、該容器外方へ膨出して上下方向に延びる薬剤収容部を有し、該薬剤収容部が上下方向に連続した開放部分を有しており、
上記薬剤収容部の膨出量は、下側へ行くほど小さく設定され、
上記薬剤との接触によって膨潤しかつ当該薬剤の重量によって外側に膨らむように変形した状態における上記揮発薬剤透過フィルムの内面と、上記容器の薬剤収容部の内面と、の離間寸法が上側部分と下側部分とで略同じに設定されていることを特徴とする。
【００１０】
この構成によれば、例えば容器が透光性を有している場合には、薬剤が容器側から見えることになる。このとき、薬剤の重量及びその成分によって揮発薬剤透過フィルムの下側部分が上側部分に比べて容器外側へ膨らむようになることがあるが、この状態において、容器の内面と揮発薬剤透過フィルムの内面との離間寸法が上側部分と下側部分とで略同じになっているので、薬剤の色がその上側から下側に亘って同じような濃さに見える。
【００１１】
つまり、容器の内面と揮発薬剤透過フィルムの内面との離間寸法が上側部分と下側部分とで略同じというのは、肉眼で見たとき、薬剤の色が上側から下側に亘って同じような濃さに見える寸法であればよく、厳密に同一寸法でなくてもよい。
【００１２】
また、薬剤収容部の膨出量によって容器の内面と揮発薬剤透過フィルムの内面との離間寸法を上側部分と下側部分とで略同じにすることが可能になる。この容器は、揮発薬剤透過フィルムに比べて変形しにくく、よって、薬剤の色を上側から下側に亘って確実に同じような濃さにすることが可能になる。
【００１３】
第２の発明では、第１の発明において、
上記容器及び上記揮発薬剤透過フィルムの両方が透光性を有していることを特徴とする。
【００１４】
この構成によれば、容器と揮発薬剤透過フィルムの両方が透光性を有しているので、薬剤の濃さが上側と下側とで変化した場合により分かり易くなり、この場合に、本発明の容器の内面と揮発薬剤透過フィルムの内面との離間寸法を上側部分と下側部分とで略同じに設定したことの作用効果が顕著なものとなる。
【発明の効果】
【００１５】
第１の発明によれば、薬剤との接触によって膨潤しかつ当該薬剤の重量によって外側に膨らむように変形した状態における揮発薬剤透過フィルムの内面と、容器の薬剤収容部の内面と、の離間寸法を上側部分と下側部分とで略同じに設定したので、薬剤の色が上側から下側に亘って同じような濃さに見え、見栄えを良好にすることができる。
【００１６】
また、板状の容器に、外方へ膨出して上下方向に延びる薬剤収容部を形成し、この薬剤収容部の膨出量を下側へ行くほど小さく設定している。これにより、変形しにくい容器によって、容器の内面と揮発薬剤透過フィルムの内面との離間寸法を上側部分と下側部分とで略同じにすることができる。従って、薬剤の色を上側から下側に亘って確実に同じような濃さにすることができる。
【００１７】
第２の発明によれば、容器及び揮発薬剤透過フィルムの両方が透光性を有しているので、本発明の作用効果をより一層顕著なものとすることができる。
【図面の簡単な説明】
【００１８】
【図１】実施形態にかかる薬剤収容具を備えた薬剤放散器の斜視図である。
【図２】薬剤放散器の正面図である。
【図３】薬剤放散器の側面図である。
【図４】薬剤放散器の平面図である。
【図５】薬剤放散器の底面図である。
【図６】カートリッジの斜視図である。
【図７】カートリッジの正面図である。
【図８】カートリッジの側面図である。
【図９】図７のIX−IX線に相当する分解状態のカートリッジの断面図である。
【図１０】図７のIX−IX線に相当する容器の断面図である。
【図１１】図７のIX−IX線断面図である。
【図１２】本体の斜視図である。
【図１３】本体の底面図である。
【図１４】図１３のXIV−XIV線断面図である。
【図１５】表側部材を内面から見た図である。
【図１６】表側部材を底面側から見た図である。
【図１７】裏側部材を内面から見た斜視図である。
【図１８】裏側部材を底面側から見た図である。
【発明を実施するための形態】
【００１９】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２０】
図１は、本発明の実施形態にかかる薬剤収容具としてのカートリッジ１０を備えた薬剤放散器１の斜視図である。この薬剤放散器１は、カートリッジ１０の他に、該カートリッジ１０を収容する本体３０を備えており、例えば屋内の所定箇所に置いてインテリアの一部として使用することができるようになっている。
【００２１】
尚、この実施形態の説明では、薬剤放散器１の使用状態で下となる側を単に下といい、上となる側を単に上というものとする。また、使用状態で正面となる側を表側といい、背面となる側を裏側という。
【００２２】
はじめにカートリッジ１０について説明する。カートリッジ１０は、容器１１と、フィルム１４と、薬剤とからなるものである。薬剤は揮発性を有する液体であり、例えば、害虫の忌避剤、殺虫剤、芳香剤、消臭剤等が挙げられ、これらのうち１種類のみを容器１１に充填してもよいし、複数種を混合して容器１１に充填してもよい。薬剤は、溶剤や精油等のオイルベースのものである。また、薬剤は、例えば透光性を有する青色や緑色等に着色されている。
【００２３】
図６〜図１１に示すように、容器１１は全体として矩形板状をなしており、図９にも示すようにカートリッジ１０の表側を構成するトレー状に形成されている。カートリッジ１０は、図８に示すように容器１１の上下方向の中間部が上部及び下部に比べて表側に位置するように全体として緩やかに湾曲している。
【００２４】
容器１１は、例えばポリエチレンテレフタラート（PET）等の無色透明な硬質樹脂製の板材を成形してなるものであり、弾性変形するようになっている。
【００２５】
容器１１の周縁部は、平面で構成されたフランジ部１３ａとされている。容器１１のフランジ部１３ａよりも内方の上部には、上側膨出部２０が形成されている。図６にも示すように、この上側膨出部２０は、容器１１の幅方向に延びている。また、上側膨出部２０の長手方向（容器１１の幅方向に相当）の両端部は、下方へ突出する形状となっている。
【００２６】
また、容器１１のフランジ部１３ａよりも内方には、上側膨出部２０よりも下側に、第１〜第５膨出部２１〜２５が設けられている。第１〜第５膨出部２１〜２５は、上側膨出部２０に連なって容器１１の下端近傍まで延びる形状となっており、従って、容器１１には、第１〜第５膨出部２１〜２５により上下方向に連続した開放部分が形成される。また、第１〜第５膨出部２１〜２５は、容器１１の幅方向に互いに間隔をあけて配置されている。
【００２７】
第１膨出部２１は容器１１の左端近傍に設けられ、第５膨出部２５は容器１１の右端近傍に設けられている。第２〜第４膨出部２２〜２４は、第１膨出部２１と第５膨出部２５の間で、第１膨出部２１側から第５膨出部２５側に順に並んでいる。
【００２８】
カートリッジ１０のフィルム１４は、気化した薬剤を通し、かつ、気化していない薬剤を通さないように構成された柔軟な揮発薬剤透過フィルムで構成されている。フィルム１４の材料としては、液体を通さず、気体を通す性質を有する周知の材料であればよく、例えば、特表２００１−５２３１１９号公報に開示されているものが挙げられるが、これ以外のフィルムを用いることも可能である。
【００２９】
図示しないが、フィルム１４の裏面には、カートリッジ１０の使用前において薬剤を透過させないようにするための非透過性フィルムが接着剤によって剥離可能に貼り付けられている。この非透過性フィルムは、例えば、アルミニウムフィルム等を用いることができる。
【００３０】
フィルム１４は、熱可塑性樹脂で構成されている。フィルム１４の周縁部は容器１１のフランジ部１３ａに全周に亘って熱溶着されている。また、フィルム１４における容器１１の第１〜第５膨出部２１〜２５の間の部分は、容器１１に熱溶着されている。従って、第１〜第５膨出部２１〜２５の開放部分はフィルム１４によって覆われ、第１〜第５膨出部２１〜２５はフィルム１４によって区画されることになる。
【００３１】
フィルム１４は、例えは、ポリエチレンフィルム、ポリプロピレンフィルム、ポリウレタンフィルム、ナイロンフィルム、ポリエチレンテレフタレートフィルムまたはそれらの複合ラミネートフィルム等が挙げられる。
【００３２】
図６や図７に示すように、容器１１の第１膨出部２１は、幅方向に広い断面形状を有する第１〜第４幅広部２１ａ〜２１ｄと、幅広部２１ａ〜２１ｄよりも狭い断面形状を有する第１〜第４狭小部２１ｅ〜２１ｈとを有しており、図９にも示すように、第１狭小部２１ｅ、第１幅広部２１ａ、第２狭小部２１ｆ、第２幅広部２１ｂ、…の順に上下方向に並んでいる。第１狭小部２１ｅが上側膨出部２０に連なっている。
【００３３】
第１〜第４幅広部２１ａ〜２１ｄの上下方向の寸法は、第１〜第４狭小部２１ｅ〜２１ｈの上下方向の寸法よりも長く設定されており、断面積は、第１〜第４幅広部２１ａ〜２１ｄの方が広くなっている。
【００３４】
図１０に示すように、フランジ部１３ａのフィルム１４との接合面（仮想線上の面）から第１幅広部２１ａの内面までの寸法Ａは、第１幅広部２１ａの深さであり、この深さＡは、２．１ｍｍに設定されている。
【００３５】
また、第２幅広部２１ｂの深さＢは２．１ｍｍであり、第３幅広部２１ｃの深さＣは１．８ｍｍであり、第４幅広部２１ｄの深さＤは１．６ｍｍである。
【００３６】
このように第１〜第４幅広部２１ａ〜２１ｄの深さＡ〜Ｄを変えているのは、使用状態において第１〜第４膨出部２１ａ〜２１ｄの内面とフィルム１４の内面との離間寸法を互いに略同じにするためである。
【００３７】
このことについて、まず、フィルム１４の性質から説明する。上記した樹脂からなるフィルム１４は、オイルベースの薬剤に触れると膨潤する性質を有している。フィルム１４の膨潤は、薬剤に触れてから始まり、数時間から１日程度で終わる。薬剤に触れて膨潤が終わったフィルム１４は、薬剤に触れる前のフィルム１４の寸法の３％〜５％程度伸びる。この膨潤による伸びに起因してフィルム１４のうち、容器１１に溶着されていない部分には余裕ができる。容器１１に溶着されていない部分とは、各膨出部２０〜２５の開放部分を覆っている部分である。
【００３８】
そして、図１１に示すように、使用状態にあるカートリッジ１０は上下方向に延びる姿勢で配置されるので、膨潤したフィルム１４には、薬剤の重量によってフィルム１４の下側部分に上側部分よりも大きな力が加わって該フィルム１４の下側部分が上側部分に比べて容器１１の外側へ向けて膨らむように変形し、この膨らみ度合いは下側へ行くほど大きくなる。
【００３９】
この実施形態では、第１膨出部２１の第１幅広部２１ａの深さ（図１０のＡ）よりも第３膨出部２１ｃ、第４膨出部２１ｄの深さ（図１０のＣ，Ｄ）を浅くして、膨潤したフィルム１４の下側部分が膨らんでも、第１幅広部２１ａの内面とフィルム１４の内面との寸法（図１１のＡ’）と、第３膨出部２１ｃ、第４膨出部２１ｄの内面とフィルム１４の内面との寸法（図１１のＣ’，Ｄ’）が、略同じになるようにしている。
【００４０】
また、図６及び図７に示すように、容器１１の第２膨出部２２も幅方向に広い断面形状を有する第１〜第４幅広部２２ａ〜２２ｄと、幅の狭い断面形状を有する第１〜第３狭小部２２ｅ〜２２ｇとを有しており、第１幅広部２２ａ、第１狭小部２２ｅ、第２幅広部２２ｂ、第２狭小部２２ｆ、…の順に上下方向に並んでいる。第１幅広部２２ａが上側膨出部２０に連なっている。
【００４１】
第２膨出部２２の第１幅広部２２ａの深さは、２．１ｍｍであり、第２幅広部２２ｂの深さは２．２ｍｍであり、第３幅広部２２ｃの深さは２．２ｍｍであり、第４幅広部２２ｄの深さは１．６ｍｍである。これにより、第１〜第４幅広部２２ａ〜２２ｄの内面とフィルム１４の内面との離間寸法が互いに略同じになる。第１幅広部２２ａの深さを２．１ｍｍとしているのは、第１幅広部２２ａが上側膨出部２０と連なっていてフィルム１４の非溶着部分が広い範囲となり、フィルム１４の膨らみ度合いが大きくなりがちであるためである。
【００４２】
また、容器１１の第３膨出部２３も幅方向に広い断面形状を有する第１〜第５幅広部２３ａ〜２３ｅと、幅の狭い断面形状を有する第１〜第４狭小部２３ｆ〜２３ｉとを有しており、第１幅広部２３ａ、第１狭小部２３ｆ、第２幅広部２３ｂ、第２狭小部２３ｇ、…の順に上下方向に並んでいる。第１幅広部２３ａが上側膨出部２０に連なっている。
【００４３】
第３膨出部２３の第１幅広部２３ａの深さは、２．１ｍｍであり、第２幅広部２３ｂの深さは２．２ｍｍであり、第３幅広部２３ｃの深さは２．２ｍｍであり、第４幅広部２３ｄの深さは１．８ｍｍであり、第５幅広部２３ｅの深さは１．３ｍｍである。これにより、第１〜第５幅広部２３ａ〜２３ｅの内面とフィルム１４の内面との離間寸法が互いに略同じになる。
【００４４】
また、容器１１の第４膨出部２４も幅方向に広い断面形状を有する第１〜第４幅広部２４ａ〜２４ｄと、幅の狭い断面形状を有する第１〜第３狭小部２４ｅ〜２４ｇとを有しており、第１幅広部２４ａ、第１狭小部２４ｅ、第２幅広部２４ｂ、第２狭小部２４ｆ、…の順に上下方向に並んでいる。第１幅広部２４ａが上側膨出部２０に連なっている。
【００４５】
第４膨出部２４の第１〜第４幅広部２４ａ〜２４ｄの深さは、第２膨出部２２の第１〜第４幅広部２２ａ〜２２ｄの深さと同じに設定されている。
【００４６】
また、容器１１の第５膨出部２５も幅方向に広い断面形状を有する第１〜第４幅広部２５ａ〜２５ｄと、幅の狭い断面形状を有する第１〜第４狭小部２５ｅ〜２５ｈとを有しており、第１狭小部２５ｅ、第１幅広部２５ａ、第２狭小部２５ｆ、第２幅広部２４ｂ、…の順に上下方向に並んでいる。第１狭小部２５ｅが上側膨出部２０に連なっている。
【００４７】
第５膨出部２５の第１〜第４幅広部２５ａ〜２５ｄの深さは、第１膨出部２１の第１〜第４幅広部２１ａ〜２１ｄの深さと同じに設定されている。
【００４８】
また、容器１１には、第１〜第５膨出部２１〜２５の下端部同士を連続させる下側膨出部２７が設けられており、第１〜第５膨出部２１〜２５の間で薬剤の流通が可能となっている。
【００４９】
容器１１における下側膨出部２７よりも下側には、突部１３ｂが形成されている。突部１３ｂは、カートリッジ１０を本体３０へ挿入する方向を示す目印である。尚、カートリッジ１０は、上側（図７の上側）から本体３０へ挿入する。
【００５０】
容器１１に薬剤を入れると、上側膨出部２０と、第１〜第５膨出部２１〜２５とが連続しているので、上側膨出部２０と、第１〜第５膨出部２１〜２５との間で薬剤が行き来可能となる。また、第１〜第５膨出部２１〜２５の下端部同士が下側膨出部２７によって連続しているので、第１〜第５膨出部２１〜２５間での薬剤の行き来も可能となる。
【００５１】
次に、本体３０の構造について説明する。図１〜図５に示すように、本体３０は、矩形に近い形状の板状をなしており、底面は略平面状に形成されている。
【００５２】
図１２〜図１４にも示すように、本体３０は、厚み方向に２分割された半割状の表側部材３４と裏側部材３５とを組み合わせて構成されている。表側部材３４及び裏側部材３５は、共に枠状をなしており、中央部にはそれぞれ同じ形状の貫通孔３４ａ，３５ａが対応するように形成されている。これら２つの貫通孔３４ａ，３５ａによって本体３０には表裏方向に貫通する貫通孔が構成される。
【００５３】
表側部材３４の貫通孔３４ａの周囲は、表側へ向かって膨出するように形成され、また、裏側部材３５の貫通孔３５ａの周囲は、裏側へ向かって膨出するように形成されている。表側部材３４及び裏側部材３５の外縁部同士が結合されて両部材３４，３５が一体化しており、図１４に示すように内部には、カートリッジ１０の外周部の収容が可能な収容空間Ｒが全周に亘って形成されている。
【００５４】
図１２に示すように、表側部材３４及び裏側部材３５を一体化した状態で、表側部材３４の貫通孔３４ａの周縁部と、裏側部材３５の貫通孔３５ａの周縁部とは、表裏方向に離れており、両周縁部の間にはスリットＳが形成されている。このスリットＳには、カートリッジ１０が挿入されるようになっており、挿入されたカートリッジ１０には、貫通孔３４ａ及び貫通孔３５ａの両周縁部が接触するようになっている。
【００５５】
図１３に示すように、本体３０の底面には、上記カートリッジ１０を挿入するための挿入口３１が形成されている。このように挿入口３１を本体３０の底面に形成することで、デザイン上の自由度が向上する。また、挿入口３１が使用時に見えなくなるので、見栄えも良好になる。
【００５６】
挿入口３１は、本体３０の幅方向に長い形状とされている。すなわち、挿入口３１の長手方向の寸法は、カートリッジ１０の幅方向の寸法よりも若干長めに設定されている。また、挿入口３１の短径方向の寸法は、カートリッジ１０の厚み方向の寸法よりも若干長めに設定されている。カートリッジ１０はその幅方向を挿入口３１の幅方向と一致させた状態で挿入口３１に挿入される。
【００５７】
挿入口３１の長手方向に延びる一縁部３１ａの中間部には、第１切欠部３１ｂが形成され、他縁部３１ｃにも第２切欠部３１ｄが形成されている。第１及び第２切欠部３１ｂ，３１ｄは、指先を挿入することができる程度の大きさである。
【００５８】
一縁部３１ａは、挿入口３１の幅方向に直線状に延びている。他縁部３１ｃは、第２切欠部３１ｄに近づくほど一縁部３１ａ側に位置するように傾斜している。また、他縁部３１ｃにおける第２切欠部３１ｄの近傍には、一縁部３１ａ側へ突出する突起３１ｅ，３１ｅが形成されている。
【００５９】
図１４に示すように、本体３０の内部には、幅方向両側に、カートリッジ１０を案内するための表側及び裏側ガイドレール３８，３９がそれぞれ形成されている。図１５及び図１６に示すように、表側ガイドレール３８は、表側部材３４の内面に形成されており、上下方向に延びている。図１４に示すように、この表側ガイドレール３８は、本体３０の厚み方向中央部よりも裏側寄りの部位まで突出している。
【００６０】
また、図１７及び図１８に示すように、裏側ガイドレール３９は、裏側部材３５の内面に形成されており、表側ガイドレール３８と平行に上下方向に延びている。
【００６１】
表側ガイドレール３８及び裏側ガイドレール３９の間隔は、カートリッジ１０の周縁部の厚み寸法よりも若干広めに設定されており、カートリッジ１０の周縁部が表側ガイドレール３８及び裏側ガイドレール３９の間に挿入された状態で上下方向に案内される。
【００６２】
図１に示すようにカートリッジ１０を完全に挿入すると、カートリッジ１０の外周部分が本体３０の収容空間Ｒに収容されて、カートリッジ１０の中央部分は貫通孔３４ａ，３５ａから外部に臨むことになる。このとき、上側膨出部２０と下側膨出部２７とは、本体３０の内部に隠れており、外部から見えなくなっている。
【００６３】
また、カートリッジ１０の下端部が突起３１ｅに対し上方から確実に当接して係合することになる。これにより、カートリッジ１０が自重によって脱落するのが防止される。
【００６４】
尚、カートリッジ１０を本体３０に収容する前に、非透過性フィルムをフィルム１４から剥離させておく。非透過性フィルムを剥離すると、フィルム１４は既に膨潤して伸びた状態となっている。
【００６５】
上記のようにして本体３０にカートリッジ１０を収容することで薬剤放散器１が得られる。この薬剤放散器１は、例えば屋内に置いておくことで、容器１内の薬剤が気化してフィルム１４を透過し、放散される。これにより、薬剤の効力が得られる。
【００６６】
カートリッジ１０の容器１１及びフィルム１４が透光性を有しているので、薬剤の色が本体３０の貫通孔３４ａから見え、薬剤の色を薬剤放散器１のデザインの一部として利用することができ、屋内等で使用する場合に薬剤放散器１をインテリアの一部とすることができる。
【００６７】
使用状態では、カートリッジ１０が上下方向に延びる姿勢となっているので、図１１に示すように、薬剤の重量によってフィルム１４の下側部分が上側部分に比べて容器１１の外側へ向けて膨らむように変形しているが、この実施形態では、第１〜第５膨出部２１〜２５の内面とフィルム１４の内面との離間寸法Ａ’〜Ｄ’が略同じになっているので、上から下まで薬剤の色が同じ濃さに見える。
【００６８】
つまり、容器１１の内面とフィルム１４の内面との離間寸法が上側部分と下側部分とで略同じというのは、肉眼で見たとき、薬剤の色が上側から下側に亘って同じような濃さに見えて違和感を感じない程度の寸法であればよく、Ａ’〜Ｄ’が厳密に同一寸法でなくてもよい。例えば、Ａ’とＢ’とが０．１ｍｍ程度異なっていてもよい。
【００６９】
尚、フィルム１４が膨潤する前はフィルム１４に余裕がないので、フィルム１４の下側部分は膨らまないが、上述のとおり膨潤は薬剤に触れた直後から１日程度で終わるので、カートリッジ１０が使用者の手に渡る頃にはフィルム１４の膨潤が終わっている。
【００７０】
以上説明したように、この実施形態によれば、使用状態における容器１１の内面とフィルム１４の内面との離間寸法を上側部分と下側部分とで略同じに設定したので、薬剤の色が上側から下側に亘って同じような濃さに見え、見栄えを良好にすることができる。
【００７１】
尚、上記実施形態では、容器１１及びフィルム１４の両方が透光性を有してるが、これに限らず、容器１１のみ透光性を有するものとし、フィルム１４が透光性を有しないものとしてもよい。また、フィルム１４をカートリッジ１０の表側に配置し、容器１１を裏側に配置してもよく、この場合、フィルム１４のみ透光性を有するものとし、容器１１が透光性を有しないものとしてもよい。
【００７２】
また、容器１１やフィルム１４は、無色透明でなくてもよく、例えば薄く着色されていてもよい。
【００７３】
また、上記実施形態では、本体３０の底面に挿入口３１を形成しているが、これに限らず、例えば、上面や側面等に形成してもよい。  
【００７４】
また、本体３０の構造は上記した構造に限られるものではなく、一体成形品であってもよい。
【産業上の利用可能性】
【００７５】
以上説明したように、本発明にかかる薬剤収容具は、例えば、害虫の忌避剤等を放散する場合に使用できる。
【符号の説明】
【００７６】
１          薬剤放散器
１０        カートリッジ（薬剤収容具）
１１        容器
１４        フィルム
２１〜２５  第１〜第５膨出部
３０        本体
３１        挿入口
３１ｅ      突起
Ｒ          収容空間
Ｓ          スリット
【図１】
0005898968.tif 000002
【図２】
0005898968.tif 000003
【図３】
0005898968.tif 000004
【図４】
0005898968.tif 000005
【図５】
0005898968.tif 000006
【図６】
0005898968.tif 000007
【図７】
0005898968.tif 000008
【図８】
0005898968.tif 000009
【図９】
0005898968.tif 000010
【図１０】
0005898968.tif 000011
【図１１】
0005898968.tif 000012
【図１２】
0005898968.tif 000013
【図１３】
0005898968.tif 000014
【図１４】
0005898968.tif 000015
【図１５】
0005898968.tif 000016
【図１６】
0005898968.tif 000017
【図１７】
0005898968.tif 000018
【図１８】
0005898968.tif 000019